(57)【要約】  発電所から電気を供給される電力系統基地局装置に接続されて蓄電池を併設する基地局装置は、電力系統の電力供給状態が不安定状態と状況と判断すると蓄電池への充電を停止するか充電速度を下げたり、さらに負荷設備の負荷を下げて電力系統の停電を避ける。また、基地局装置間制御装置は電力系統に接続された複数の基地局装置を制御することで、より稼動が必要とされる基地局装置に接続された蓄電池への充電を行うことで、電力系統の停電を避けつつ、稼動停止を避けることができる。
2015008467.tif 000002
【特許請求の範囲】
【請求項１】
電力系統に接続された複数の基地局装置を制御するシステムにおける基地局装置に併設された蓄電池の充電制御方法であって、
前記基地局装置は、負荷設備と基地局装置制御装置を備え、
前記電力系統の電力状態情報と前記負荷設備の電力需要情報と前記蓄電池の蓄電情報に基づいて
前記蓄電池の充電制御を行うことを特徴とする充電制御方法。
【請求項２】
前記電力系統の電力安定度が悪化した場合、充電速度を下げるあるいは充電を一時停止することを特徴とする請求項１に記載の充電制御方法。
【請求項３】
前記電力系統の電力供給情報と前記負荷設備の電力需要情報と前記蓄電池の蓄電情報に基づいて前記電力系統ごとに充電優先度を決定することを特徴とする請求項１記載の充電制御方法。
【請求項４】
前記電力系統の電力供給情報と前記基地局装置の電力需要情報と前記蓄電池の蓄電情報に基づいて前記基地局装置ごとに充電優先度を決定することを特徴とする請求項１記載の充電制御方法。
【請求項５】
前記電力状態情報と前記電力需要情報と前記蓄電情報に基づいて前記負荷設備の制御を行うことを特徴とする請求項１記載の充電制御方法。
【請求項６】
発電設備を備え、発電制御を行うことを特徴とする請求項１記載の充電制御方法。
【請求項７】
発電情報に基づいて発電制御することを特徴とする請求項６記載の充電制御方法。
【請求項８】
停電時には、前記蓄電池により前記負荷設備を稼動させることを特徴とする請求項１に記載の充電制御方法。
【請求項９】
さらに前記電力系統の電力供給情報に基づいて前記蓄電池の充電制御を行うことを特徴とする請求項１に記載の充電制御方法。
【請求項１０】
前記電力供給情報は計画停電情報であることを特徴とする請求項３に記載の充電制御方法。
【請求項１１】
前記負荷設備の前記電力需要情報は消費電力、通信量、重要度のいずれかを含むことを特徴とする請求項１に記載の充電制御方法。
【請求項１２】
前記蓄電池の前記蓄電情報は蓄電量、電池温度であるであることを特徴とする請求項１に記載の充電制御方法。
【請求項１３】
前記電力供給情報は前記電力系統の周波数、電圧、電力供給情報電流のうち少なくとも一つであることを特徴とする請求項３に記載の充電制御方法。
【請求項１４】
前記負荷設備の制御は通信速度制限、通信エリアの制限のうち少なくとも一つであることを特徴とする請求項１に記載の充電制御方法。
【請求項１５】
前記発電情報は発電量、燃料、天候のうち少なくとも一つであることを特徴とする請求項７に記載の充電制御方法。
【請求項１６】
電力系統に接続された複数の基地局装置を制御するシステムであって、
前記基地局装置は、負荷設備と基地局装置制御装置を備え、蓄電池を併設しており、
前記電力系統の電力状態情報と前記負荷設備の電力需要情報と前記蓄電池の蓄電情報に基づいて
前記蓄電池の充電制御を行うことを特徴とする基地局装置を制御するシステム。
【請求項１７】
前記電力系統の電力安定度が悪化した場合、充電速度を下げるあるいは充電を一時停止することを特徴とする請求項１６に記載の基地局装置を制御するシステム。
【請求項１８】
さらに電力系統の電力供給情報に基づいて前記蓄電池の充電制御を行うことを特徴とする請求項１６に記載の基地局装置を制御するシステム。
【請求項１９】
前記電力供給情報は計画停電情報であることを特徴とする請求項１８に記載の基地局装置を制御するシステム。
【請求項２０】
前記負荷設備の前記電力需要情報は消費電力、通信量、重要度のいずれかを含むことを特徴とする請求項１６に記載の基地局装置を制御するシステム。
【請求項２１】
前記蓄電池の前記蓄電情報は蓄電量、電池温度であるであることを特徴とする請求項１６に記載の基地局装置を制御するシステム。
【請求項２２】
前記電力供給情報は前記電力系統の周波数、電圧、電流のうち少なくとも一つであることを特徴とする請求項１８に記載の基地局装置を制御するシステム。
【請求項２３】
前記負荷設備の制御は通信速度制限、通信エリアの制限のうち少なくとも一つであることを特徴とする請求項１６に記載の基地局装置を制御するシステム。
【請求項２４】
発電設備を備え、発電制御を行うことを特徴とする請求項１６記載の基地局装置を制御するシステム。
【請求項２５】
発電情報に基づいて発電制御することを特徴とする請求項２４記載の基地局装置を制御するシステム。
【請求項２６】
前記発電情報は発電量、燃料、天候のうち少なくとも一つであることを特徴とする請求項２５に記載の基地局装置を制御するシステム。
【請求項２７】
請求項１６に記載の基地局装置を制御するシステムに接続される基地局装置。
【請求項２８】
電力系統に接続された複数の基地局装置を制御する基地局装置間制御装置と通信回線を介して接続される基地局装置制御装置であって、
前記基地局装置は、負荷設備と基地局装置制御装置を備え、蓄電池を併設しており、
前記電力系統の電力状態情報と前記負荷設備の電力需要情報と前記蓄電池の蓄電情報に基づいて前記基地局装置間制御装置に生成された制御情報を受信する受信部と、前記受信部で受信された前記制御情報に基づいて前記蓄電池の充電制御を行うことを特徴とする基地局装置制御装置。
【請求項２９】
前記電力系統の電力安定度が悪化した場合、充電速度を下げるあるいは充電を一時停止することを特徴とする請求項２８に記載の基地局装置制御装置。
【請求項３０】
さらに前記電力系統の電力供給情報に基づいて前記蓄電池の充電制御を行うことを特徴とする請求項２８に記載の基地局装置制御装置。
【請求項３１】
発電設備を備え、発電制御を行うことを特徴とする請求項２８記載の基地局装置を制御する基地局装置制御装置。
【請求項３２】
発電情報に基づいて発電制御することを特徴とする請求項３１記載の基地局装置を制御する基地局装置制御装置。
【請求項３３】
前記電力供給情報は計画停電情報であることを特徴とする請求項２８に記載の基地局装置制御装置。
【請求項３４】
前記負荷設備の前記電力需要情報は消費電力量、通信量、重要度のいずれかを含むことを特徴とする請求項２８に記載の基地局装置制御装置。
【請求項３５】
前記蓄電池の前記蓄電情報は蓄電量、電池温度であるであることを特徴とする請求項２８に記載の基地局装置制御装置。
【請求項３６】
前記電力供給情報は電力系統の周波数、電圧、電流のうち少なくとも一つであることを特徴とする請求項３２に記載の基地局装置制御装置。
【請求項３７】
前記負荷設備の制御は通信速度制限、通信エリアの制限のうち少なくとも一つであることを特徴とする請求項２８に記載の基地局装置制御装置。
【請求項３８】
前記発電情報は発電量、燃料、天候のうち少なくとも一つであることを特徴とする請求項３０に記載の基地局装置制御装置。
【請求項３９】
電力系統に接続された基地局装置に併設された蓄電池の充電制御方法であって、
前記基地局装置は、負荷設備と基地局装置制御装置を備え、蓄電池を併設しており、
前記電力系統の電力状態情報と前記負荷設備の電力需要情報と前記蓄電池の蓄電情報に基づいて
前記蓄電池の充電制御を行うことを特徴とする充電制御方法。
【請求項４０】
前記電力系統の電力安定度が悪化した場合、充電速度を下げるあるいは充電を一時停止することを特徴とする請求項３９に記載の充電制御方法。
【請求項４１】
前記電力状態情報と前記電力需要情報と前記蓄電情報に基づいて前記負荷設備の制御を行うことを特徴とする請求項３９記載の充電制御方法。
【請求項４２】
発電設備を備え、発電制御を行うことを特徴とする請求項３９記載の充電制御方法。
【請求項４３】
発電情報に基づいて発電制御することを特徴とする請求項４２記載の充電制御方法。
【請求項４４】
停電時には、前記蓄電池により前記負荷設備を稼動させることを特徴とする請求項３９に記載の充電制御方法。
【請求項４５】
前記負荷設備の前記電力需要情報は消費電力、通信量、重要度のいずれかを含むことを特徴とする請求項３９に記載の充電制御方法。
【請求項４６】
前記蓄電池の前記蓄電情報は蓄電量、電池温度であるであることを特徴とする請求項３９に記載の充電制御方法。
【請求項４７】
前記負荷設備の制御は通信速度制限、通信エリアの制限のうち少なくとも一つであることを特徴とする請求項３９に記載の充電制御方法。
【請求項４８】
前記発電情報は発電量、燃料、天候のうち少なくとも一つであることを特徴とする請求項４３に記載の充電制御方法。
【請求項４９】
電力系統に接続された蓄電池を併設した基地局装置であって、
前記基地局装置は、負荷設備と基地局装置制御装置を備え、蓄電池を併設しており、
前記電力系統の電力状態情報と前記負荷設備の電力需要情報と前記蓄電池の蓄電情報に基づいて
前記蓄電池の充電制御を行うことを特徴とする基地局装置。
【請求項５０】
前記電力系統の電力安定度が悪化した場合、充電速度を下げるあるいは充電を一時停止することを特徴とする請求項４９に記載の基地局装置。
【請求項５１】
前記電力状態情報と前記電力需要情報と前記蓄電情報に基づいて前記負荷設備の制御を行うことを特徴とする請求項４９記載の基地局装置。
【請求項５２】
発電設備を備え、発電制御を行うことを特徴とする請求項４９記載の基地局装置。
【請求項５３】
発電情報に基づいて発電制御することを特徴とする請求項５２記載の基地局装置。
【請求項５４】
停電時には、前記蓄電池により前記負荷設備を稼動させることを特徴とする請求項４９に記載の基地局装置。
【請求項５５】
前記負荷設備の前記電力需要情報は消費電力、通信量、重要度のいずれかを含むことを特徴とする請求項４９に記載の基地局装置。
【請求項５６】
前記蓄電池の前記蓄電情報は蓄電量、電池温度であるであることを特徴とする請求項４９に記載の基地局装置。
【請求項５７】
前記負荷設備の制御は通信速度制限、通信エリアの制限のうち少なくとも一つであることを特徴とする請求項４９に記載の基地局装置。
【請求項５８】
前記発電情報は発電量、燃料、天候のうち少なくとも一つであることを特徴とする請求項５３に記載の基地局装置。
【発明の詳細な説明】
【技術分野】
【０００１】
本発明は、電力系統に接続する蓄電システムとその制御方法に関する。
【背景技術】
【０００２】
無線通信端末を用いて、いつでも安定した通信を行うためには、この無線通信端末と通信を行う基地局装置に、常に電力を供給しなければならない。しかしながら、停電が発生すると、基地局装置への電力の供給が途絶えてしまい、通信が切断されてしまい、送電が復帰するまでには相当の時間を要することがある。特に電力供給が安定していない国や地域では、日常的な地域での停電や、限られた時間のみ電力供給がされるなど電力系統から常時電力を供給されるとは限らない。そこで、電力系統以外の電源が必要となる。【０００３】
ディーゼル発電機による電源が一般的であるが、燃料切れの恐れや燃料補充の必要性、環境への悪影響がある。また、電力系統より原動費が高いこともあり、電力系統から充電する蓄電池を使用することが考えられる。【０００４】
しかしながら、多数の基地局装置の蓄電池を一度に充電すると電力系統の電力供給が不安定になり、電力系統の停電をまねく恐れがある。
【先行技術文献】
【特許文献】
【０００５】
【特許文献１】特開２０１０−１７８４７９号公報
【特許文献２】特開２００８−１４１８１５号公報
【特許文献３】特開２０１３−００５６３８号公報
【発明の概要】
【０００６】
本発明は、電力系統に接続された複数の基地局装置を制御するシステムにおける基地局装置に併設された蓄電池の充電制御方法であって、電力系統の電力供給情報と負荷設備の電力需要情報と蓄電池の蓄電情報（蓄電量、電池温度）に基づいて蓄電池の充電制御を行うことを特徴とする。
【図面の簡単な説明】
【０００７】
【図１】本発明の電力系統に接続された基地局装置と蓄電池を示した図
【図２】本発明の基地局装置のブロック図
【図３】本発明の別の基地局装置のブロック図
【図４】本発明の基地局装置蓄電システムを示した図
【図５】本発明の基地局装置間制御装置のブロック図
【図６】本発明の基地局装置間制御装置と通信する基地局装置のブロック図
【発明を実施するための形態】
【０００８】
《第一の実施の形態》
図１は、本発明の電力系統に接続された基地局装置と蓄電池を示した図である。発電所１００から変電所１１０を経由して電力系統１０３〜１０８から基地局装置１０２に電力が供給される。
【０００９】
図２は、本発明の基地局装置１０２を示した図である。基地局装置１０２は、基地局装置制御装置１０１、負荷設備２０５、発電設備２０８を備える。基地局装置制御装置１０１は、電力状態検知部２０２と制御部２０３と蓄電池２０４（例えばＬｉイオン電池）を備える。発電設備２０８は必ずしも設けなくても良い。
【００１０】
電力系統１０３〜１０８は末端に向かって枝分かれしていくが、末端になるほど電力供給は不安定になり、電力系統１０３〜１０８の各々に繋がる設備の電力使用量が多いほど電力供給は不安定になる。変電所で分離された電力系統１０３〜１０８ごとに電力使用量が供給を上回ると停電する可能性が高いが、過大な負荷がかかると根幹の電力系統１０３への停電を引き起こすこともありうる。
【００１１】
発電設備２０８が併設されており、発電設備２０８が太陽光発電設備の場合は、発電設備２０８から負荷設備２０５に電力供給し、発電量に余裕がある場合は蓄電池２０４へ充電を行う。
【００１２】
太陽光発電設備が無い場合あるいは、太陽光発電設備があっても天候により発電出来ない場合は、太陽光発電設備から電力の供給できない負荷設備２０５に電力系統１０３〜１０８のいずれかから、電力供給し、さらに蓄電池２０４の蓄電量等の蓄電情報から蓄電池２０４に充電が必要と判断した場合、蓄電池２０４へ充電を行う。
【００１３】
もし、停電した場合、制御部２０３は蓄電池２０４より電力を負荷設備２０５に供給して負荷設備２０５の稼動を継続させる。しかしながら蓄電池２０４の蓄電量が停電中に無くなる恐れがあるとき、制御部２０３は、負荷設備２０５を通常動作モードから低電力動作モードに移行することで、負荷設備２０５の停止を防止する。
【００１４】
停電し、さらに蓄電量が無い場合でも、発電設備２０８がそれらの条件に左右されないディーゼル発電等であれば、発電制御することで発電設備２０８を稼動し、負荷設備２０５の稼動を継続させることも可能となる。発電量に余裕があれば発電設備から蓄電池２０４への充電を開始してもよい。
【００１５】
発電設備２０８は、太陽光発電とディーゼル発電を併用しても良い。
【００１６】
電力系統１０３〜１０８のうち蓄電池２０４に接続されたいずれかの電力系統１０３〜１０８から蓄電池２０４に充電する場合、通常、制御部２０３は基地局装置の負荷設備２０５に電力系統１０３〜１０８から電力を供給するように制御する。また、制御部２０３は、蓄電池の蓄電量が低下すると蓄電池２０４に電力系統１０３〜１０８から充電するよう制御する。ここで、蓄電池２０４は複数の充電速度を有する。本実施の形態においては、蓄電池２０４は、充電速度が異なる２つの充電モード（急速充電、通常充電）を有する。急速充電は通常充電よりも速い時間で充電できるが、電気使用量が多くなる。停電時に備えて、各基地局装置はできる限り急速充電を行うが、急速充電を複数の基地局装置で同時に行うと、全体の電気使用量が膨大になるため、電力系統１０３〜１０８の電力供給そのものが不安定になり、電力系統１０３〜１０８が停電しかねない。
【００１７】
電力系統１０３〜１０８の停電を避けるため、基地局装置制御装置１０１は電力系統１０３〜１０８の電力状態情報（周波数、電圧、電流）を電力状態検知部２０２により検知する。電力供給状態から電力安定度が不安定な状況と判断すると、蓄電池２０４の充電を通常充電に変更、あるいは充電そのものを停止し充電待機とする充電制御を行う。ここで、電力安定度とは、系統電力の安定度合いを示す指標であり、変電所１１０からの電力供給量や、電力系統１０３〜１０８に繋がる設備の電力使用量により変動する。電力安定度が悪化すると、末端の電力系統１０６〜１０８から停電する可能性が高い。電力安定度がさらに悪化すると、根幹に向かう電力系統１０４，１０５も停電する可能性が高い。さらに悪化すると電力系統１０３〜１０８全体が停電する可能性が高い。過大な負荷がかかると根幹の電力系統への停電を引き起こすこともありうる。
【００１８】
具体的には、系統電力（電力系統１０３〜１０８から供給される電力）の周波数、電圧、電流を監視することにより、電力系統の周波数、電圧、電流等の電力状態情報から電力安定度を判断する。周波数については系統電力の全体負荷が大きくなると、系統電力から供給される交流信号の周波数が低くなる。ゼロクロスカウンター等で周波数を検知し、所定の周波数よりも低くなった場合に、電力安定度が低いと判断できる。電圧監視は、系統電力から供給される電圧の低下を検知する。電流監視は系統電力から供給される電流の低下を検知する。電圧監視や電流監視は、周波数監視と比べて、簡易な構成で系統電力の電力安定度を検知することができる。また、系統電力の周波数、電圧、電流の値だけではなく、系統電力の周波数、電圧、電流の値の急激な変化を捉えることで、電力供給状態が不安定になること（すなわち、電力安定度の低下）も検知できる。
【００１９】
そして、通常充電あるいは充電待機中の場合、電力供給状態が安定状態になった（すなわち、電力安定度が高くなった）と判断すれば、通常充電の場合、蓄電池２０４への急速充電へ復帰し、充電待機中の場合、急速充電か通常充電を再開する充電制御を行う。
【００２０】
なお、本実施例では一例として、通常充電の充電速度は、急速充電の充電速度の三分の一程度にするが、それに関わらず、どのような速度にしても構わない。電力供給状態に合わせて可変にしても良い。
【００２１】
このように、電力系統の停電が発生する前に電力供給状態を監視しながら蓄電池への充電制御（充電速度の制御）を行うことで、図１のように、電力供給状態が不安定状態と判断すると、ある基地局装置は充電待機中になり、電力系統の電力安定度の低下を防ぐ。これにより、各基地局装置の基地局装置制御装置１０１は電力系統の停電を避けつつ、蓄電池への充電を行うことができる。
【００２２】
図３は、本発明の別の基地局装置１３２を示した図である。図２の基地局装置制御装置１０１を基地局装置制御装置３０１に換えて、さらに負荷設備３０５の制御を行うものである。負荷設備３０５から消費電力量、通信量、重要度等の電力需要情報を制御部３０３に送る。蓄電池２０４への充電制御だけでは、電力系統の安定が不十分な場合には、基地局装置制御装置３０１の制御部３０３は負荷設備３０５を通常動作モードから低電力動作モードに移行することで、電力系統の停電を防止する。基地局装置の場合、例えば、負荷設備３０５の通信速度や通信エリアを制限することで、低電力動作モードへ移行し、消費電力を低減する。電力状態検知部２０２と蓄電池２０４は図２と同じでも異なっていてもよい。
【００２３】
これにより、系統電力が不安定な電力インフラの環境下において、電力状態情報、電力需要情報、蓄電情報を用いて停電を避けることでディーゼル発電への依存を低減しつつ、負荷設備３０５への安定給電が可能となる。
【００２４】
《第二の実施の形態》
図４は、本発明の基地局装置蓄電システムを示した図である。第一の実施の形態に比べ、基地局装置間制御装置４０１により基地局装置間の制御を行うものである。
【００２５】
図５は、本発明の基地局装置間制御装置４０１を示した図である。基地局装置間制御装置４０１は、電力供給会社からの電力負荷情報や、計画送電情報（あるいは停電情報）等の電力供給情報を利用する系統監視部５０２と、後述する複数の基地局装置制御装置からの情報を受け取る受信部５０７と基地局装置制御装置への制御情報を送信する送信部５０６を備える。送受信は、無線であっても有線であっても、専用回線であっても共用回線であってもよい。制御部５０３は、電力供給会社からの電力負荷情報や、電力供給情報、複数の基地局装置制御装置からの情報から、各基地局装置の蓄電池の充電制御を行う制御情報を生成する。
【００２６】
図６は、本発明の基地局装置間制御装置４０１と通信する基地局装置１６２を示した図である。図３の基地局装置制御装置３０１に比べ、基地局装置１６２は送信部６０６、受信部６０７を備える。電力状態検知部２０２と蓄電池２０４と負荷設備３０５は図３と同じでも異なっていてもよい。発電設備２０８は必ずしも併設する必要は無く、発電設備２０８との送受信信号の図示は省略している。
【００２７】
電力系統に接続された各負荷設備３０５に電力使用状況（周波数、電圧、電流）をモニターする電力状態検知部２０２（例えば、スマートメーター）を設け、基地局装置間制御装置４０１は、基地局装置１６２の送信部６０６から電力状態情報を受信し、その情報に基づいて、系統電力全体の負荷状況を判断するようにしてもよい。
【００２８】
制御部６０３は、電力状態検知部２０２の電力系統の周波数、電圧、電流等の電力状態情報や、蓄電池２０４の蓄電量等の蓄電情報、負荷設備３０５の消費電力量、通信量、重要度等の電力需要情報を送信部６０６により基地局装置間制御装置４０１に送信する。受信部６０７が受信した基地局装置間制御装置４０１からの制御情報に基づき、制御部６０３は、蓄電池２０４の充電制御を行う。
【００２９】
電力状態検知部２０２により電力供給が不安定になり、電力安定度が悪化したと判断したときは、基地局装置間制御装置４０１からの制御情報に優先して、蓄電池２０４の充電を急速充電から通常充電にする、あるいは、充電停止にしてもよい。
【００３０】
あるいは、負荷設備３０５を通常動作モードから低電力動作モードに移行することで、電力系統の停電を防止する。基地局装置の場合、例えば、負荷設備３０５を通信速度や通信エリアを制限する低電力動作モードに移行することで消費電力を低減する。これにより電力系統への負荷をいち早く下げることができるので、電力系統の停電を避けることができる。蓄電池２０４と負荷設備３０５の制御を併用してもよい。
【００３１】
基地局装置間制御装置４０１の制御部５０３は、電力系統が停電しないように各基地局装置の蓄電池の充電制御を行うために、充電が必要な複数の基地局装置に対して充電可能な電力が見込めない場合、どの基地局装置の蓄電池を充電するか決定する必要がある。すなわち、充電優先度を基地局装置単位あるいは、複数の電力系統で構成される電力網全体の電力供給安定度を考慮した場合、電力系統単位で決定する。
【００３２】
優先度を決定するための情報としては、以下のようなものがある。
【００３３】
１）蓄電池の蓄電量  ・・・  残量が少ない蓄電池を優先する。
【００３４】
２）負荷設備の消費電力  ・・・  例えば、基地局装置の場合は通信量など消費電力が大きい負荷設備を優先する。
【００３５】
３）稼動残量  ・・・  （１）蓄電池の蓄電量と（２）負荷設備の消費電力から算出される稼動時間の残量から優先度を決める。
【００３６】
４）温度  ・・・  Ｌｉイオン電池は低温・高温時に充電効率が悪いため、不適当温度状態のＬｉイオン電池の蓄電池の優先度を下げる。
【００３７】
５）発電設備の状態  ・・・  蓄電池が、系統電力と発電設備の切り替えが可能なハイブリッド方式の場合、発電設備の発電情報から優先度を決める。例えば、ディーゼル発電の場合は、ディーゼル燃料の残量が少ない蓄電池を優先する。太陽光発電の場合は発電量や天候などから優先度を決める。
【００３８】
６）系統種別（Ｇｏｏｄ−Ｇｒｉｄ，  Ａｖｅｒａｇｅ−Ｇｒｉｄ，  Ｐｏｏｒ−Ｇｒｉｄ，  Ｏｆｆ−Ｇｒｉｄ等）  ・・・  電力系統ごとの電力供給の安定性（例えば、一日当たりの平均電力供給時間）に関する情報から優先度を決める。例えば、電力供給が不安定（Ｐｏｏｒ−Ｇｒｉｄ）な地域を優先する。
【００３９】
７）蓄電池の設置場所  ・・・  電力系統上で隣接する基地局装置は同時に給電しないようにする。
【００４０】
これらの情報を組み合わせて優先度を決定してもよい。
【００４１】
以上のように基地局装置間制御装置が電力網あるいは、電力系統に接続された基地局装置を制御することで、電力系統の停電を避けつつ、より稼動が必要とされる基地局装置に接続された蓄電池への充電を行うことで、稼動停止を避けることができる。
【００４２】
基地局装置間制御装置と基地局装置制御装置の制御の役割は、一例であってこれに限らない。例えば、各基地局装置は一切制御内容を決定せず、基地局装置間制御装置から受信した信号のみで制御するようにしてもよい。
【産業上の利用可能性】
【００４３】
電力系統に接続された基地局装置への充電制御に利用可能であるが、電力系統に接続された稼動停止を避けたい設備についても応用可能である。
【符号の説明】
【００４４】
１００  発電所
１０１  基地局装置制御装置
１０２  基地局装置
１０３，１０４，１０５，１０６，１０７，１０８  電力系統
１１０  変電所
２０２  電力状態検知部
２０３  制御部
２０４  蓄電池
２０５  負荷設備
２０８  発電設備
３０１  基地局装置制御装置
３０３  制御部
３０５  負荷設備
４０１  基地局装置間制御装置
５０２  系統監視部
５０３  制御部
５０６  送信部
５０７  受信部
６０３  制御部
６０６  送信部
６０７  受信部
【図１】
2015008467.tif 000003
【図２】
2015008467.tif 000004
【図３】
2015008467.tif 000005
【図４】
2015008467.tif 000006
【図５】
2015008467.tif 000007
【図６】
2015008467.tif 000008
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
電力系統に接続された複数の基地局装置を制御するシステムにおける基地局装置に併設された蓄電池の充電制御方法であって、前記基地局装置は、負荷設備と基地局装置制御装置を備え、
前記電力系統の電力状態情報と前記負荷設備の電力需要情報と前記蓄電池の蓄電情報に基づいて、
前記電力系統の停電が発生する前に、前記蓄電池の充電制御を行うことを特徴とする充電制御方法。
【請求項２】
前記電力系統の電力安定度が悪化した場合、前記電力系統の停電が発生する前に、充電速度を下げるあるいは充電を一時停止することを特徴とする請求項１に記載の充電制御方法。
【請求項３】
前記電力系統の電力供給情報と前記負荷設備の電力需要情報と前記蓄電池の蓄電情報に基づいて前記電力系統ごとに充電優先度を決定することを特徴とする請求項１記載の充電制御方法。
【請求項４】
前記電力系統の電力供給情報と前記基地局装置の電力需要情報と前記蓄電池の蓄電情報に基づいて前記基地局装置ごとに充電優先度を決定することを特徴とする請求項１記載の充電制御方法。
【請求項５】
前記電力状態情報と前記電力需要情報と前記蓄電情報に基づいて前記負荷設備の制御を行うことを特徴とする請求項１記載の充電制御方法。
【請求項６】
（削除）
【請求項７】
発電設備を備え、前記発電設備の発電情報に基づいて、前記蓄電池の充電制御を行うことを特徴とする請求項１記載の充電制御方法。
【請求項８】
（削除）
【請求項９】
（削除）
【請求項１０】
前記電力供給情報は計画停電情報であることを特徴とする請求項３に記載の充電制御方法。
【請求項１１】
前記負荷設備の前記電力需要情報は消費電力、通信量、重要度のいずれかを含むことを特徴とする請求項１に記載の充電制御方法。
【請求項１２】
前記蓄電池の前記蓄電情報は蓄電量、電池温度のいずれかを含むことを特徴とする請求項１に記載の充電制御方法。
【請求項１３】
前記電力供給情報は前記電力系統の周波数、電圧、電流のうち少なくとも一つであることを特徴とする請求項３に記載の充電制御方法。
【請求項１４】
前記負荷設備の制御は通信速度制限、通信エリアの制限のうち少なくとも一つであることを特徴とする請求項１に記載の充電制御方法。
【請求項１５】
（削除）
【請求項１６】
電力系統に接続された複数の基地局装置を制御するシステムであって、
前記基地局装置は、負荷設備と基地局装置制御装置を備え、蓄電池を併設しており、
前記電力系統の電力状態情報と前記負荷設備の電力需要情報と前記蓄電池の蓄電情報に基づいて、
前記電力系統の停電が発生する前に、前記蓄電池の充電制御を行うことを特徴とする基地局装置を制御するシステム。
【請求項１７】
前記電力系統の電力安定度が悪化した場合、前記電力系統の停電が発生する前に、充電速度を下げるあるいは充電を一時停止することを特徴とする請求項１６に記載の基地局装置を制御するシステム。
【請求項１８】
さらに電力系統の電力供給情報に基づいて前記蓄電池の充電制御を行うことを特徴とする請求項１６に記載の基地局装置を制御するシステム。
【請求項１９】
前記電力供給情報は計画停電情報であることを特徴とする請求項１８に記載の基地局装置を制御するシステム。
【請求項２０】
前記負荷設備の前記電力需要情報は消費電力、通信量、重要度のいずれかを含むことを特徴とする請求項１６に記載の基地局装置を制御するシステム。
【請求項２１】
前記蓄電池の前記蓄電情報は蓄電量、電池温度のいずれかを含むことを特徴とする請求項１６に記載の基地局装置を制御するシステム。
【請求項２２】
前記電力供給情報は前記電力系統の周波数、電圧、電流のうち少なくとも一つであることを特徴とする請求項１８に記載の基地局装置を制御するシステム。
【請求項２３】
前記負荷設備の制御は通信速度制限、通信エリアの制限のうち少なくとも一つであることを特徴とする請求項１６に記載の基地局装置を制御するシステム。
【請求項２４】
（削除）
【請求項２５】
発電設備を備え、前記発電設備の発電情報に基づいて、前記蓄電池の充電制御を行うことを特徴とする請求項１６記載の基地局装置を制御するシステム。
【請求項２６】
（削除）
【請求項２７】
（削除）
【請求項２８】
電力系統に接続された複数の基地局装置を制御する基地局装置間制御装置と通信回線を介して接続される基地局装置制御装置であって、
前記基地局装置は、負荷設備と基地局装置制御装置を備え、蓄電池を併設しており、
前記電力系統の電力状態情報と前記負荷設備の電力需要情報と前記蓄電池の蓄電情報に基づいて前記基地局装置間制御装置に生成された制御情報を受信し、前記制御情報に基づいて、前記電力系統の停電が発生する前に、前記蓄電池の充電制御を行うことを特徴とする基地局装置制御装置。
【請求項２９】
前記電力系統の電力安定度が悪化した場合、前記電力系統の停電が発生する前に、充電速度を下げるあるいは充電を一時停止することを特徴とする請求項２８に記載の基地局装置制御装置。
【請求項３０】
（削除）
【請求項３１】
（削除）
【請求項３２】
発電設備を備え、前記発電設備の発電情報に基づいて、前記蓄電池の充電制御を行うことを特徴とする請求項２８記載の基地局装置を制御する基地局装置制御装置。
【請求項３３】
前記電力供給情報は計画停電情報であることを特徴とする請求項２８に記載の基地局装置制御装置。
【請求項３４】
前記負荷設備の前記電力需要情報は消費電力量、通信量、重要度のいずれかを含むことを特徴とする請求項２８に記載の基地局装置制御装置。
【請求項３５】
前記蓄電池の前記蓄電情報は蓄電量、電池温度のいずれかを含むことを特徴とする請求項２８に記載の基地局装置制御装置。
【請求項３６】
前記電力供給情報は電力系統の周波数、電圧、電流のうち少なくとも一つであることを特徴とする請求項３２に記載の基地局装置制御装置。
【請求項３７】
前記負荷設備の制御は通信速度制限、通信エリアの制限のうち少なくとも一つであることを特徴とする請求項２８に記載の基地局装置制御装置。
【請求項３８】
（削除）
【請求項３９】
電力系統に接続された基地局装置に併設された蓄電池の充電制御方法であって、
前記基地局装置は、負荷設備と基地局装置制御装置を備え、蓄電池を併設しており、
前記電力系統の電力状態情報と前記負荷設備の電力需要情報と前記蓄電池の蓄電情報に基づいて、
前記電力系統の停電が発生する前に、前記蓄電池の充電制御を行うことを特徴とする充電制御方法。
【請求項４０】
前記電力系統の電力安定度が悪化した場合、前記電力系統の停電が発生する前に、充電速度を下げるあるいは充電を一時停止することを特徴とする請求項３９に記載の充電制御方法。
【請求項４１】
前記電力状態情報と前記電力需要情報と前記蓄電情報に基づいて前記負荷設備の制御を行うことを特徴とする請求項３９記載の充電制御方法。
【請求項４２】
（削除）
【請求項４３】
発電設備を備え、前記発電設備の発電情報に基づいて、前記蓄電池の充電制御を行うことを特徴とする請求項３９記載の充電制御方法。
【請求項４４】
（削除）
【請求項４５】
前記負荷設備の前記電力需要情報は消費電力、通信量、重要度のいずれかを含むことを特徴とする請求項３９に記載の充電制御方法。
【請求項４６】
前記蓄電池の前記蓄電情報は蓄電量、電池温度のいずれかを含むことを特徴とする請求項３９に記載の充電制御方法。
【請求項４７】
前記負荷設備の制御は通信速度制限、通信エリアの制限のうち少なくとも一つであることを特徴とする請求項３９に記載の充電制御方法。
【請求項４８】
（削除）
【請求項４９】
電力系統に接続された蓄電池を併設した基地局装置であって、前記基地局装置は、負荷設備と基地局装置制御装置を備え、蓄電池を併設しており、
前記電力系統の電力状態情報と前記負荷設備の電力需要情報と前記蓄電池の蓄電情報に基づいて、
前記電力系統の停電が発生する前に、前記蓄電池の充電制御を行うことを特徴とする基地局装置。
【請求項５０】
前記電力系統の電力安定度が悪化した場合、前記電力系統の停電が発生する前に、充電速度を下げるあるいは充電を一時停止することを特徴とする請求項４９に記載の基地局装置。
【請求項５１】
前記電力状態情報と前記電力需要情報と前記蓄電情報に基づいて前記負荷設備の制御を行うことを特徴とする請求項４９記載の基地局装置。
【請求項５２】
（削除）
【請求項５３】
発電設備を備え、前記発電設備の発電情報に基づいて、前記蓄電池の充電制御を行うことを特徴とする請求項４９記載の基地局装置。
【請求項５４】
（削除）
【請求項５５】
前記負荷設備の前記電力需要情報は消費電力、通信量、重要度のいずれかを含むことを特徴とする請求項４９に記載の基地局装置。
【請求項５６】
前記蓄電池の前記蓄電情報は蓄電量、電池温度のいずれかを含むことを特徴とする請求項４９に記載の基地局装置。
【請求項５７】
前記負荷設備の制御は通信速度制限、通信エリアの制限のうち少なくとも一つであることを特徴とする請求項４９に記載の基地局装置。
【請求項５８】
（削除）
【国際調査報告】
2015008467.tif 000009
2015008467.tif 000010
2015008467.tif 000011
2015008467.tif 000012